(57)【要約】【課題】工事を簡易に行うことができ、補強後の法面を覆う壁面材が脱落するおそれがなく、しかも、施工後の地盤沈下がなくメンテナンスの手間のかからない法面補強工法を提供する。【解決手段】壁面材１の内側に発泡樹脂ブロック２を多層に積み重ねること、および発泡樹脂ブロックの層の間にネット状シート３を敷設し、そのネット状シートの一端を壁面材１または／および壁面材１を連結する金具に固着することを特徴とする法面補強工法。壁面材１には、窓部を設けて法面緑化のために植生したり、太陽光発電パネルを取り付けてもよい。【選択図】図１
2006002435.tif 000002
【特許請求の範囲】
【請求項１】
法面を壁面材で覆う法面補強工法であって、壁面材の内側に発泡樹脂ブロックを多層に積み重ねること、および発泡樹脂ブロックの層の間にネット状シートを敷設し、そのネット状シートの一端を上記の壁面材または／および壁面材を連結する金具に固着することを特徴とする法面補強工法。
【請求項２】
一部に植生部を備えた壁面材を用いることを特徴とする請求項１に記載の法面補強工法。
【請求項３】
一部に太陽光発電パネルを備えた壁面材を用いることを特徴とする請求項１または請求項２に記載の法面補強工法。
【発明の詳細な説明】
【技術分野】
【０００１】
本発明は、山の斜面および道路や線路を敷設するために盛り土した斜面、宅地や公園等の造成のために削った丘陵の斜面など、通常、法面（のりめん）と呼ばれる面を補強する工法に関する。
【背景技術】
【０００２】
山や丘陵の一面を削り取っただけの法面は、そのままでは雨水による崩壊のおそれがあり、また、落石事故が発生する危険がある。従って、何らかの手段で補強して崩壊や落石等を防止する必要がある。
【０００３】
法面補強には、ネットによる被覆やコンクリートによる被覆が多用されてきた。しかし、ネットでは補強効果が乏しく、落石防止の効果も小さい。一方、コンクリート被覆は工事費が嵩み、しかも仕上がり面の美観に欠ける。そこで、近年は、工場生産されたパネル状の壁面材を張って補強する工法が採用されつつある。この壁面材として、メッシュ状や格子状のパネルを使用すれば、壁面に植栽して緑化することも可能である。
【０００４】
特許文献１には、壁面緑化パネルを用いる工法の発明が開示されている。その工法の特徴は、壁面材であるパネルの内側に充填する盛り土の中に補強材（ネット）を敷設し、その一端をパネルに固定してパネルの脱落を防止する点にある。
【０００５】
【特許文献１】特開２００３−２１３６８９号公報  上記特許文献１の工法は、壁面パネルによって土砂の崩壊が完全に防止され、しかも法面の緑化もできる画期的な工法である。しかし、この工法には次のような難点がある。即ち、パネルの内側に充填されるのが土砂であるために、パネルに圧力（土圧）が作用する。従って、たとえパネルが土砂の中に敷設された補強材（ネット）で支えられていても、法面の高さが高い場合や、傾斜が急な場合は、パネルの安定性が損なわれ、部分的に脱落したり隙間が生じたりして法面の一部が崩落するおそれがある。また、パネルの内側に充填された土砂は、雨水や振動の影響で時間が経つにつれて沈下するという問題もある。
【発明の開示】
【発明が解決しようとする課題】
【０００６】
本発明の目的は、補強工事を簡易に行うことができ、補強後の法面を覆う壁面材が安定して脱落するおそれがなく、しかも、施工後の地盤沈下がなくメンテナンスの手間のかからない法面補強工法を提供することにある。
【課題を解決するための手段】
【０００７】
本発明の要旨は、下記（１）〜（３）の法面補強工法にある。
【０００８】
（１）法面を壁面材で覆う法面補強工法であって、壁面材の内側に発泡樹脂ブロックを多層に積み重ねること、および発泡樹脂ブロックの層の間にネット状シートを敷設し、そのネット状シートの一端を上記の壁面材または／および壁面材を連結する金具に固着することを特徴とする法面補強工法。
【０００９】
（２）一部に植生部を備えた壁面材を用いることを特徴とする上記（１）の法面補強工法。
【００１０】
（３）一部に太陽光発電パネルを備えた壁面材を用いることを特徴とする上記（１）または（２）の法面補強工法。
【発明の効果】
【００１１】
上記の工法によれば、壁面材の内側に置かれるものが軽量の発泡樹脂ブロックであるから、壁面材に作用する外向きの圧力はほとんど無くなる。しかも、その壁面材はネット状のシートに固定されているから、脱落するおそれがない。また、発泡樹脂ブロックは工場で生産したものを使用できるので、土砂を搬送して充填する作業に較べれば工事はきわめて効率的である。
【００１２】
さらに、発泡樹脂ブロックの多層積み構造は、後に沈下することもないから、工事完了後のメンテナンスが軽減される。壁面材として植生部を有するものを使用すれば、法面の緑化もでき、太陽光発電パネルを備えたものを用いれば、得られた電力を照明等に利用することもできる。
【発明を実施するための最良の形態】
【００１３】
図１は、本発明の工法の一例を概念的に説明するための縦断面図である。図において、壁面材（以下、パネルと記す）１は、法面に多数個が貼り付けられる。パネル１の内側（背面側）には発泡樹脂ブロック２が積まれている。そして、これらの発泡樹脂ブロックの層の間には、ネット状シート３が挟み込まれていて、その左端部はパネル１に固着されている。
【００１４】
パネル１の最下端は、基礎コンクリート８の上に設置された基礎部材４に固定される。また、上端部には、ガードレールを取り付けるポール６等を埋めるコンクリートを打設してもよい。発泡樹脂ブロックの最上段の上には植栽用の盛り土７を置いてもよいし、コンクリート等で舗装してもよい。
【００１５】
上記の構造が本発明の工法で構築される法面の基本構造の一つである。
【００１６】
図２は、発泡樹脂ブロックの形状例を示す斜視図である。（ａ）は長さ中央部に溝21のあるもの、（ｂ）は２個の同形の窪み22を有するものである。サイズの一例を示すと、Ｗが1000ｍｍ、Ｌが2000ｍｍ、Ｈが400〜500ｍｍである。（ａ）図の溝21は、深さ５〜50ｍｍ、幅（ｗ）が200〜900ｍｍ程度でよい。（ｂ）図の窪み22は、一辺が200ｍｍから900ｍｍで深さが５〜50ｍｍ程度のものである。もちろん、ブロックのサイズはこれに限られない。
【００１７】
図２の（ｃ）に示すのは、上下面が平滑で端辺が段状になったものである。即ち、一方の端辺には下に突出部23があり、他の端片には上に突出部24がある。そして、二点鎖線で示すように、他のブロックを併設したとき、突出部が重なり合うように、それぞれの突出部の高さおよび幅を同じにしてある。
【００１８】
図２の（ａ）および（ｂ）に示すように溝や窪みを設けるのは、発泡樹脂ブロックの上にネット状シートを置いた後、溝または窪みに土砂を入れるか、またはセメントを充填してその部分でのネット状シートとブロックとの摩擦を大きくするためである。それによって、ネット状シートの長さを短くしても、また、ネット状シートの敷設ピッチを大きくしても、十分なパネル保持の効果が得られる。
【００１９】
発泡樹脂ブロックの形状は上記の目的に適うものであればよいので、図２に示すものに限られない。例えば、表面に粗い凹凸をつけてネット状シートとの摩擦を更に大きくしてもよい。また、例えば図２の（ｃ）に示すブロックの場合は、図３に示すように、その上にセメントを流してネット状シート３を薄いコンクリート層31の中に埋め込むようにしてもよい。
【００２０】
発泡樹脂ブロックは、発泡スチレン系合成樹脂のブロックであることが望ましい。これは、経時変化がほとんどなく、施工時に任意の形状に切断加工するのも容易である。
【００２１】
ネット状シートとしては、ナイロン（商品名）繊維、アラミド繊維、アクリル系、ポリエステル系、ポリエチレン系等の合成繊維のような耐食性に優れ、強度の高い繊維で作製したネットが使用できる。ネットを構成する縦糸、横糸の太さ、およびメッシュ（編み目）の大きさは、施工する法面の傾斜や高さ等に応じて選定すればよい。
【００２２】
図４は、パネル（外壁材）の一例を示す図であり、（ａ）は側面図、（ｂ）は正面図である。このパネルは、コンクリート製の外枠41の中に網目状の窓部42がある。サイズは、取り扱いの容易さや施工条件に応じて任意に選択すればよいが、例えば、Ｌが１〜２ｍ、Ｗが0.5〜１ｍ、ｔが約140ｍｍで、中空部42は一辺が0.4〜0.8ｍ程度である。
【００２３】
窓部42は、そこに種子を埋めた布状シート等を張って植生し、法面を緑化するためのものである。この窓部には、太陽光発電パネルを取り付けてもよい。日当たりのよい法面であれば、照明用等には十分な電力が得られる。なお、緑化や太陽光発電を要しない場合は、窓部を設ける必要はない。
【００２４】
図４に示すパネルには、ピン孔43が所要個数設けてある。これにピンを挿入して多数のパネルを連結することができる。最下段のパネルは、基礎部材４に同じくピンで固定すればよい。
【００２５】
ネット状シートをパネルに固着するには、パネルに設けたフック44にネット状シートの端部を引っかけてもよいし、上下のパネルの間にネット状シートの端部を挟んでから前記のピンでパネルを連結してもよい。
【００２６】
複数のパネルの連結は、上記のピンによる方法の他に、連結用金具を用いて行うこともできる。例えば、パネル２の四隅のボルト挿入孔を設けておき、連結用金具にボルト・ナットで固定し、上下左右のパネルをつないでいく方法が採用できる。この場合は、ネット状シートの端部を、この連結金具に固定することができる。
【００２７】
図５は、図１に示した法面構造の一部の拡大図である。図示のように、発泡樹脂ブロック３は相互にπ形や櫛形の連結具51でつないで、横方向のズレを防止するのが望ましく、さらに連結具の足を長くして上下のパネル層の横方向へのズレを防止するのがよい。なお、パネルを配設するときには上下の層の継ぎ目部分が一線にならないようにするのが望ましい。
【００２８】
発泡樹脂ブロックの左端部は、パネル１に密着させてもよいが、パネルが窓部のある植栽用のものである場合には、図５に示すように、端部に土52を入れておくのがよい。
【産業上の利用可能性】
【００２９】
本発明の工法によれば、法面保護の施工が効率的に実施できる。発泡樹脂のブロックは軽量である上に、変形し難いから、外壁材（パネル）に外向きの圧力を及ぼすことがほとんどない。しかも、パネルは、発泡樹脂ブロックの層間に挟まれたネット状のシートに固着されているので内側に引っ張られた状態にあり、法面が急勾配であっても、パネルが脱落するおそれがない。従って、垂直面はもちろん、任意の傾斜角の傾斜面に本発明工法を適用することができる。しかも、施工後の補修等のメンテナンス作業も軽減される。
【００３０】
壁面材（パネル）として、窓部を設けたものを使用すれば、そこに植生用シートや太陽光発電パネルを取り付けて、壁面緑化や発電もできるので、環境保全や省エネルギーにも寄与できる。
【図面の簡単な説明】
【００３１】
【図１】本発明の法面補強工法の一例を説明する縦断面図である。
【図２】発泡樹脂ブロックの形状例を示す斜視図である。
【図３】発泡樹脂ブロックの層の間にネット状シートを挟む態様の一つを示す縦断面図である。
【図４】パネル（外壁材）の一例を示す図である。
【図５】図１に示した法面構造の一部の拡大図である。
【符号の説明】
【００３２】
１・・・外壁材（パネル）
２・・・発泡樹脂ブロック
３・・・ネット状シート
４・・・基礎部材
５・・・コンクリート
６・・・ガードレールのポール
７・・・盛り土または舗装
８・・・基礎コンクリート
21・・・溝
22・・・窪み
31・・・コンクリート層
41・・・枠
42・・・溝
43・・・ピン挿入孔
44・・・フック
51・・・ブロック連結具
【図１】
2006002435.tif 000003
【図２】
2006002435.tif 000004
【図３】
2006002435.tif 000005
【図４】
2006002435.tif 000006
【図５】
2006002435.tif 000007